【手続補正書】
【提出日】平成15年9月17日(2003.9.17)
【手続補正１】
【補正対象書類名】特許請求の範囲
【補正対象項目名】全文
【補正方法】変更
【補正の内容】
【特許請求の範囲】
【請求項１】
端末装置により認識される構造をもつ情報要素を有するプリミティブおよびネットワーク上で通信できる少なくとも１つの他のエンティティを用いて端末装置からネットワークに識別情報を通信する方法であって、
前記端末装置のクライアントを識別する情報要素（自己クライアントＩＤ）を前記プリミティブに提供すること（１０ｂ）、および
前記クライアントを識別する前記プリミティブにクライアントのユーザを識別する情報要素（自己ユーザＩＤ）も提供すること（１０ａ）を特徴とし、
前記クライアントがサービスを実施し、かつ前記クライアントが前記端末装置に設けられている方法。
【請求項２】
前記プリミティブが、プレゼンス情報を前記ネットワークへ通信するのに用いる更新プレゼンスプリミティブ（３１）である請求項１記載の方法。 
【請求項３】
他の端末装置のクライアントを識別する情報要素（要求クライアントＩＤ）を前記プリミティブに提供すること（１ｄ）、および
前記他の端末装置のクライアントのユーザを識別する情報要素（要求ユーザＩＤ）を前記プリミティブに提供すること（１０ｃ）をさらに特徴とする請求項１または２記載の方法。 
【請求項４】
前記少なくとも１つの他のエンティティが、前記プリミティブの構造を認識することが可能な少なくとも１つのサーバ（２７）からなること、前記クライアントおよびユーザを識別する情報要素（Ｌ１およびＳ）を前記プリミティブに提供することなく、サポートされたダイジェストスキーマを識別して、前記クライアント（２０）が最初に前記サーバにログオンすること、前記サーバから、クライアントのための異議の主張としてはたらく臨時に作られた情報で、承認失敗信号（ＥおよびＮ）を受領して戻すこと、クライアントが、サポートされたダイジェストスキーマを用いて、前記臨時に作られた情報、ユーザパスワードおよびクライアント識別情報を結び付けて、ダイジェストを演算すること、今度は演算されたダイジェスト（Ｌ２およびＤ）を用いてクライアントが再度ログオンすること、サーバが、サポートされたスキーマを用いて、かつクライアントによって提供されたダイジェストからサーバによって抽出された前記臨時に作られた情報およびユーザパスワードおよびクライアント識別情報を用いて、ダイジェストを再度演算すること、およびサーバが再度演算されたダイジェストを提供されたダイジェストと比較し、当該ダイジェストが一致する場合にログインを承認すること（結果）を特徴とする請求項１または２記載の方法。
【請求項５】
前記少なくとも１つの他のエンティティが、前記端末装置のクライアントを識別する前記情報要素および前記クライアントのユーザを識別する前記情報要素を用いて、前記ユーザと前記クライアントとを判別することをさらに特徴とする請求項１記載の方法。
【請求項６】
プリミティブに、端末装置のクライアントを識別する情報要素（自己クライアントＩＤ）、および該クライアントのユーザを識別する情報要素（自己ユーザＩＤ）を提供する少なくとも１つの端末装置（１８、１９）と、
前記ネットワーク上で提供されるプリミティブを受信し、該端末装置のクライアントを識別する情報要素および該クライアントのユーザを識別する情報要素を使用することによってユーザおよびクライアントを識別する、少なくとも１つの他のエンティティ（２７、２８）
とを備えることを特徴ととし、
前記クライアントがサービスを実施し、かつ前記クライアントが前記端末装置に設けられているネットワークで識別情報を通信するシステム。
【請求項７】
前記プリミティブが、プレゼンス情報を前記ネットワークへ通信するのに用いる更新プレゼンスプリミティブ（３１）である請求項６記載のシステム。
【請求項８】
前記プリミティブが、選択されたプレゼンス情報の受領を中止するために、要求を前記ネットワークへ通信する加入解除プレゼンスプリミティブ（９２）である請求項６または７記載のシステム。
【請求項９】
前記プリミティブが、グループへの参加を中止するための要求を前記ネットワークへ通信するグループ離脱プリミティブ（１９２）である請求項６または７記載のシステム。
【請求項１０】
前記プリミティブが、グループを創設するための要求を前記ネットワークへ通信するグループ創設プリミティブ（４００）である請求項６または７記載のシステム。
【請求項１１】
前記プリミティブが、グループを削除するための要求を前記ネットワークへ通信するグループ削除プリミティブ（４１２）である請求項６または７記載のシステム。
【請求項１２】
前記プリミティブが、グループ情報のための要求を前記ネットワークへ通信する獲得グループ情報プリミティブ（４０４）である請求項６または７記載のシステム。
【請求項１３】
前記少なくとも１つの端末装置が、他の端末装置のクライアントを識別する情報要素（要求クライアントＩＤ）を前記プリミティブに提供し、および他の端末装置のユーザを識別する情報要素（要求ユーザＩＤ）を前記プリミティブに提供する請求項６または７記載のシステム。
【請求項１４】
前記プリミティブが、プレゼンス情報のための要求を前記ネットワークへ通信する獲得プレゼンスプリミティブ（３２）である請求項１３記載のシステム。
【請求項１５】
前記プリミティブが、プレゼンス情報を加入するための要求を前記ネットワークへ通信する加入プレゼンスプリミティブ（８０）である請求項１３記載のシステム。
【請求項１６】
前記プリミティブが、メッセージを前記ネットワークへ通信するメッセージプリミティブ（１４０）である請求項１３記載のシステム。
【請求項１７】
前記プリミティブが、ユーザを招待するための要求を前記ネットワークへ通信するユーザ招待プリミティブ（１８８）である請求項１３記載のシステム。
【請求項１８】
前記少なくとも１つの他のエンティティが、前記プリミティブの構造を認識することが可能な少なくとも１つのサーバ（２７）からなること、前記クライアントおよびユーザを識別する情報要素（Ｌ１およびＳ）を前記プリミティブに提供することなく、サポートされたダイジェストスキーマを識別して、前記クライアント（２０）が最初に前記サーバにログオンすること、前記サーバから、クライアントのための異議の主張としてはたらく臨時に作られた情報で、承認失敗信号（ＥおよびＮ）を受領して戻すこと、クライアントが、サポートされたダイジェストスキーマを用いて、前記臨時に作られた情報、ユーザパスワードおよびクライアント識別情報を結び付けて、ダイジェストを演算すること、今度は演算されたダイジェスト（Ｌ２およびＤ）を用いてクライアントが再度ログオンすること、サーバが、サポートされたスキーマを用いて、かつクライアントによって提供されたダイジェストからサーバによって抽出された前記臨時に作られた情報およびユーザパスワードおよびクライアント識別情報を用いて、ダイジェストを再度演算すること、およびサーバが再度演算されたダイジェストを提供されたダイジェストと比較し、当該ダイジェストが一致する場合にログインを承認すること（結果）を特徴とする請求項６記載のシステム。
【請求項１９】
ネットワーク上で通信できる少なくとも１つの他のエンティティによって認識される構造の情報要素を有するプリミティブを用いてネットワーク上で識別情報を通信する装置（１８、２７）であって、
プリミティブに該装置のクライアントを識別する情報要素を提供する手段（１０ｂ）、および
該クライアントを識別するプリミティブに該クライアントのユーザを識別する情報要素を提供する手段（１０ａ）
を含むことを特徴とし、
前記クライアントがサービスを実施し、かつ前記クライアントが前記端末装置に設けられている装置。
【請求項２０】
前記プリミティブが、プレゼンス情報を前記ネットワークへ通信するのに用いる更新プレゼンスプリミティブ（３１）である請求項１９記載の装置。
【請求項２１】
前記プリミティブが、選択されたプレゼンス情報の受領を中止するために、要求を前記ネットワークへ通信する加入解除プレゼンスプリミティブ（９２）である請求項１９記載の装置。
【請求項２２】
前記プリミティブが、グループへの参加を中止するための要求を前記ネットワークへ通信するグループ離脱プリミティブ（１９２）である請求項１９記載の装置。
【請求項２３】
前記プリミティブが、グループを創設するための要求を前記ネットワークへ通信するグループ創設プリミティブ（４００）である請求項１９記載の装置。
【請求項２４】
前記プリミティブが、グループを削除するための要求を前記ネットワークへ通信するグループ削除プリミティブ（４１２）である請求項１９記載の装置。
【請求項２５】
前記プリミティブが、グループ情報のための要求を前記ネットワークへ通信する獲得グループ情報プリミティブ（４０４）である請求項１９記載の装置。
【請求項２６】
他の装置のクライアントを識別する情報要素を前記プリミティブに提供する手段（１０ｄ）、および
他の装置のユーザを識別する情報要素を前記プリミティブに提供する手段（１０ｃ）をさらに含むことを特徴とする請求項１９記載の装置。
【請求項２７】
前記プリミティブが、プレゼンス情報のための要求を前記ネットワークへ通信する獲得プレゼンスプリミティブ（３２）である請求項２６記載の装置。
【請求項２８】
前記プリミティブが、プレゼンス情報を加入するための要求を前記ネットワークへ通信する加入プレゼンスプリミティブ（８０）である請求項２６記載の装置。
【請求項２９】
前記プリミティブが、メッセージを前記ネットワークへ通信するメッセージプリミティブ（１４０）である請求項２６記載の装置。
【請求項３０】
前記プリミティブが、ユーザを招待するための要求を前記ネットワークへ通信するためのユーザ招待プリミティブ（１８８）である請求項２６記載の装置。
【請求項３１】
前記少なくとも１つの他のエンティティが、前記プリミティブの他の構造を認識することが可能な少なくとも１つのサーバ（２７）からなること、前記クライアントおよびユーザを識別する情報要素（Ｌ１およびＳ）を前記プリミティブに提供することなく、サポートされたダイジェストスキーマを識別して、前記クライアント（２０）が最初に前記サーバにログオンすること、前記サーバから、クライアントのための異議の主張としてはたらく臨時に作られた情報で、承認失敗信号（ＥおよびＮ）を受領して戻すこと、クライアントが、サポートされたダイジェストスキーマを用いて、前記臨時に作られた情報、ユーザパスワードおよびクライアント識別情報を結び付けて、ダイジェストを演算すること、今度は演算されたダイジェスト（Ｌ２およびＤ）を用いてクライアントが再度ログオンすること、サーバが、サポートされたスキーマを用いて、かつクライアントによって提供されたダイジェストからサーバによって抽出された前記臨時に作られた情報およびユーザパスワードおよびクライアント識別情報を用いて、ダイジェストを再度演算すること、およびサーバが再度演算されたダイジェストを提供されたダイジェストと比較し、当該ダイジェストが一致する場合にログインを承認すること（結果）を特徴とする請求項１９記載の装置。
【請求項３２】
前記少なくとも１つの他のエンティティが、前記端末装置のクライアントを識別する前記情報要素および前記クライアントのユーザを識別する前記情報要素を用いて、前記ユーザと前記クライアントとを判別する請求項１９記載の装置。 
【請求項３３】
前記サービスがインスタントメッセージである請求項１記載の方法。